【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】
自らが最適化／検査の工程を終えていない装置であることを認識する認識手段と、
前記認識手段による認識に基づいて、接続された親ハードディスク装置から、自らが最適化／検査の工程を実行するために必要な成長プログラムを受信する成長プログラム受信手段と、
前記成長プログラム受信手段により受信された前記成長プログラムに基づいて、自らの最適化／検査工程を実行する実行手段と
を含むハードディスク装置。
【請求項２】
前記認識手段による認識に基づいて、前記成長プログラムの要求コマンドを前記親ハードディスク装置に送信するコマンド送信手段を更に含む請求項１に記載のハードディスク装置。
【請求項３】
前記実行手段により実行された前記成長プログラムをメモリに格納する格納手段を更に備え、
最適化／検査の工程を終えていないハードディスク装置が後に接続された際に、前記格納手段に格納された前記成長プログラムを当該ハードディスク装置に提供する請求項１または２に記載のハードディスク装置。
【請求項４】
前記実行手段は、実行する前記最適化／検査工程の中における所定の工程について、前記親ハードディスク装置による実行を受ける請求項１乃至３の何れか１項に記載のハードディスク装置。
【請求項５】
自らが最適化の処理を行なうための成長プログラムを受け取るための基本的プログラムが格納されるＲＯＭと、
前記ＲＯＭに格納される前記基本的プログラムに基づいて前記成長プログラムを受け取ると共に、受け取った当該成長プログラムにより前記最適化処理を自ら実行するＭＰＵと
を含むハードディスク装置。
【請求項６】
前記ＲＯＭに格納される前記基本的プログラムは、自らが最適化の処理が行なわれていない状態であることを認識する機能を含み、
前記ＭＰＵは、前記基本的プログラムに基づいて、自らの状態を認識することを特徴とする請求項５に記載のハードディスク装置。
【請求項７】
前記ＲＯＭに格納される前記基本的プログラムは、接続される親ハードディスク装置に対して前記成長プログラムの要求コマンドを送信する機能を含む請求項５または６に記載のハードディスク装置。
【請求項８】
前記ＭＰＵは、前記最適化処理が終了した後、前記成長プログラムを所定のメモリに格納する請求項５乃至７の何れか１項に記載のハードディスク装置。
【請求項９】
ディスク上にサーボ情報が書き込まれていない未完成ハードディスク装置に接続される接続手段と、
前記未完成ハードディスク装置が自ら前記サーボ情報を前記ディスク上に書き込むためのプログラムを格納する格納手段と、
前記格納手段に格納された前記プログラムを前記未完成ハードディスク装置に対して提供する提供手段と
を含むハードディスク装置。
【請求項１０】
前記未完成ハードディスク装置から前記プログラムの要求コマンドを受信する受信手段を更に備え、
前記提供手段は、前記受信手段による前記要求コマンドの受信に基づいて前記プログラムを提供することを特徴とする請求項９に記載のハードディスク装置。
【請求項１１】
前記プログラムは、最適化／検査の処理を実行する機能を含み、
前記未完成ハードディスク装置の前記最適化／検査の処理の一部を実行する実行手段を更に含む請求項９または１０に記載のハードディスク装置。
【請求項１２】
最適化処理を終了した後の第１のハードディスク装置を用いて、当該最適化処理を終了していない第２のハードディスク装置に対して最適化処理を実行させるハードディスク装置の最適化方法であって、
前記第１のハードディスク装置から当該第１のハードディスク装置が備える最適化のための情報を前記第２のハードディスク装置に提供するステップと、
提供された前記最適化のための情報に基づいて、前記第２のハードディスク装置が自ら各種工程を実行し、当該第２のハードディスク装置を最適化されたハードディスク装置へと成長させるステップと
を含むハードディスク装置の最適化方法。
【請求項１３】
前記第２のハードディスク装置が最適化処理が終了していないハードディスク装置であることを自ら認識するステップと、
前記認識に基づいて、前記第１のハードディスク装置に対して前記最適化のための情報を要求するコマンドを発するステップと
を更に含む請求項１２に記載のハードディスク装置の最適化方法。
【請求項１４】
前記第２のハードディスク装置が最適化処理を終了した後、当該第２のハードディスク装置から最適化処理を終了していない第３のハードディスク装置に対して最適化のための情報を提供するステップを更に含む請求項１２または１３に記載のハードディスク装置の最適化方法。
【請求項１５】
前記第１のハードディスク装置から提供される前記最適化のための情報は、前記第２のハードディスク装置が自ら最適化の各種工程を実行するための成長プログラムを含む請求項１２乃至１４の何れか１項に記載のハードディスク装置の最適化方法。
【請求項１６】
前記第１のハードディスク装置から提供される前記最適化のための情報は、当該第１のハードディスク装置が備えるテストコードを含む請求項１５記載のハードディスク装置の最適化方法。
【請求項１７】
前記第２のハードディスク装置が自ら実行すべき最適化処理の一部を前記第１のハードディスク装置が実行する請求項１２乃至１６の何れか１項に記載のハードディスク装置の最適化方法。
【請求項１８】
製造後の第１のハードディスク装置を用いて第２のハードディスク装置を製造するハードディスク装置の製造方法であって、
前記第１のハードディスク装置と前記第２のハードディスク装置とを接続する工程と、
前記第１のハードディスク装置から前記第２のハードディスク装置に対して、当該第２のハードディスク装置が自らディスク上にサーボ情報を書き込むための情報を提供する工程と、
提供された前記情報に基づいて、前記第２のハードディスク装置が自らディスク上にサーボ情報を書き込む工程と
を含むハードディスク装置の製造方法。
【請求項１９】
前記第１のハードディスク装置から前記第２のハードディスク装置に対して、当該第２のハードディスク装置が自ら検査するための情報を提供する工程と、
提供された前記情報に基づき、前記第２のハードディスク装置が自ら検査を実行する工程と
を更に含む請求項１８に記載のハードディスク装置の製造方法。
【請求項２０】
ハードディスク装置に内蔵されるコンピュータに、
自らが最適化／検査の工程を終えていないハードディスク装置であることを認識する機能と、
前記認識に基づいて、他のハードディスク装置に対して自らが最適化／検査の工程を実施するために必要な成長プログラムを要求する機能と、
前記要求に基づいて前記他のハードディスク装置から提供される前記成長プログラムを受け取る機能と
を実現させるプログラム。
【請求項２１】
前記認識する機能は、ハードディスク装置固有の情報が格納されているかまたはディスク上にサーボ情報が書き込まれているかによって、自らが最適化／検査の工程を終えていないハードディスク装置であることを認識する請求項２０に記載のプログラム。
【請求項２２】
ハードディスク装置に内蔵されるコンピュータに、
最適化／検査の工程を終えていない他のハードディスク装置から、当該他のハードディスク装置が自ら最適化／検査の工程を実行するために必要な成長プログラムの要求を受け取る機能と、
メモリに格納された前記成長プログラムを読み出す機能と、
読み出された前記成長プログラムを前記他のハードディスク装置に対して提供する機能と
を実現させるプログラム。
【請求項２３】
前記他のハードディスク装置における最適化／検査の工程のうち、一部の工程について実行する機能を更に実現させる請求項２２に記載のプログラム。
【請求項２４】
ハードディスク装置に内蔵されるコンピュータに、
他のハードディスク装置から移植された情報を用いて自らのディスク上にサーボ情報を書き込む機能と
前記他のハードディスク装置から移植された情報を用いて自ら検査工程を実行する機能と
を実現させるプログラム。